(57)【要約】      （修正有）【課題】可変ステータベーンにおいて、隣接ベーンから励起される振動応答を減少させる。【解決手段】ガスタービンエンジン段の単一段における不均一な可変ステータベーン１５は、ステータベーンの第１及び第２の部分の翼形部間に不均一性を有する不均一な翼形部を含む。可変ステータベーンは更に、可変ステータベーンの全てにおいて翼形部が内向きに延びて且つ全てが均等なサイズ及び形状にされた外側ボタンと、使用時に全て同一の内側ボタンとを含むことができる。第１及び第２の部分における翼形部は、公称翼形部位置を基準としてそれぞれ反時計方向及び時計方向に偏向させることができる。第１及び第２の部分における翼形部は、公称翼形部位置を基準としてそれぞれ反時計方向及び時計方向に傾斜させることができる。第１及び第２の部分における翼形部の外側端部は、公称翼形部位置を基準としてそれぞれ反時計方向及び時計方向にシフトさせることができる。【選択図】図１
2013083252.tif 000002
【特許請求の範囲】
【請求項１】
複数の同一段可変ステータベーン（１５）であって、
不均一な翼形部（３１）を有する不均一な同一段可変ステータベーン（１５）と、
前記複数の不均一な同一段可変ステータベーンの少なくとも第１及び第２の部分（６２、６４）と、
を備え、前記可変ステータベーン（１５）の各々が回転軸線（２０）を有し、前記翼形部（３１）の各々が前記回転軸線（２０）を中心とした外側ボタン（３２）から内向きに延びており、前記第１の部分（６２）の可変ステータベーン（１５）の翼形部（３１）と前記第２の部分（６４）の可変ステータベーン（１５）の翼形部（３１）との間に不均一性を有する、複数の同一段可変ステータベーン（１５）。
【請求項２】
前記可変ステータベーン（１５）の全てにおける前記外側ボタン（３２）の全てが、均等なサイズ及び形状にされている、請求項１記載の複数の同一段可変ステータベーン（１５）。
【請求項３】
前記不均一性は、前記複数の可変ステータベーン（１５）の第１の部分（６２）における前記翼形部（３１）が公称翼形部位置（６６）を基準として反時計方向に偏向されており、前記複数の可変ステータベーン（１５）の前記第２の部分（６４）における前記翼形部（３１）が前記公称翼形部位置（６６）を基準として時計方向に偏向されていることを含む、請求項１記載の複数の同一段可変ステータベーン（１５）。
【請求項４】
前記不均一性は、前記複数の可変ステータベーン（１５）の第１の部分（６２）における前記翼形部（３１）が公称翼形部位置（６６）を基準として反時計方向に傾斜されており、前記複数の可変ステータベーン（１５）の前記第２の部分（６４）における前記翼形部（３１）が前記公称翼形部位置（６６）を基準として時計方向に傾斜されていることを含む、請求項１記載の複数の同一段可変ステータベーン（１５）。
【請求項５】
前記第１及び第２の部分（６２、６４）における前記翼形部（３１）が、それぞれ前記翼形部（３１）の内側端部（７３）を中心として反時計方向及び時計方向に傾斜されており、前記内側端部（７３）の各々が、各それぞれのベーン（１５）の回転軸線（２０）を基準として均等に位置付けられている、請求項４記載の複数の同一段可変ステータベーン（１５）。
【請求項６】
前記翼形部（３１）がその翼形部外側及び内側端部（７２、７３）間で延びており、前記不均一性は、前記複数の可変ステータベーン（１５）の第１の部分（６２）における前記翼形部（３１）の外側端部（７２）が公称翼形部位置（６６）を基準として反時計方向にシフトされており、前記複数の可変ステータベーン（１５）の第２の部分（６４）における前記翼形部（３１）の外側端部（７２）が前記公称翼形部位置（６６）を基準として時計方向にシフトされていることを含む、請求項１記載の複数の同一段可変ステータベーン（１５）。
【請求項７】
前記翼形部（３１）の各々が前記外側ボタン（３２）と間隔を置いて配置された内側ボタン（３３）との間に配置され、前記内側ボタン部（３３）から内向きに延びる内側スピンドル（３５）を更に含む、請求項１記載の複数の同一段可変ステータベーン（１５）。
【請求項８】
ガスタービンエンジン組立体（１０）であって、
不均一な翼形部（３１）を有する不均一な同一段可変ステータベーン（１５）の少なくとも１つの円形列（１３）を含む可変ベーン組立体（５６）を半径方向外向きに支持するガスタービンエンジンケーシング（６１）を備え、
前記可変ステータベーン（１５）の各々が回転軸線（２０）を有し、前記翼形部（３１）の各々が前記回転軸線（２０）を中心とした外側ボタン（３２）から内向きに延びており、前記可変ステータベーン（１５）の各々が、前記外側ボタン（３２）から外向きに延びた外側スピンドル（３４）を含み、該外側スピンドル（３４）が、ケーシング（６１）における外側開口（７８）内に取り付けられた外側トラニオン（３６）を貫通して回転可能に配置され、
前記ガスタービンエンジン組立体（１０）が更に、
前記複数の同一段可変ステータベーン（１５）の少なくとも第１及び第２の部分（６２、６４）を備え、
前記第１の部分（６２）の可変ステータベーン（１５）の翼形部（３１）と前記第２の部分（６４）の可変ステータベーン（１５）の翼形部（３１）との間に不均一性がある、ガスタービンエンジン組立体（１０）。
【請求項９】
前記ガスタービンエンジンケーシング（６１）が、均一な翼形部（３１）を有する均一な同一段可変ステータベーン（１５）を備えた以前に製造されたガスタービンエンジン又はガスタービンエンジン製品系列と同一であるか、又は同じ設計を有する、請求項８記載のガスタービンエンジン組立体（１０）。
【請求項１０】
前記翼形部（３１）の各々が前記外側ボタン（３２）と間隔を置いて配置された内側ボタン（３３）との間に配置され、前記内側ボタン部（３３）から内向きに延びる内側スピンドル（３５）を更に含む、請求項８に記載のガスタービンエンジン組立体（１０）。
【請求項１１】
前記可変ステータベーン（１５）の全てにおける前記外側ボタン（３２）の全てが均等なサイズ及び形状にされており、前記可変ステータベーン（１５）の全てにおける前記内側ボタン（３３）の全てが均等なサイズ及び形状にされており、前記外側開口（７８）が前記ケーシング（６１）の周りに等角度に間隔を置いて配置される、請求項１０記載のガスタービンエンジン組立体（１０）。
【請求項１２】
不均一な同一段可変ステータベーン（１５）の少なくとも１つの円形列（１３）を含む可変ベーン組立体（５６）を半径方向外向きに支持するガスタービンエンジンケーシング（６１）を備えたガスタービンエンジン組立体（１０）を製造するための方法であって、
不均一な同一段可変ステータベーン（１５）の単一段の上側及び下側セクター（６２、６４）の第１のものにおいて反時計方向に偏向された翼形部（４５）と、不均一な同一段可変ステータベーン（１５）の単一段の上側及び下側セクター（６２、６４）の第２のものにおいて時計方向に偏向された翼形部（４７）とを準備するステップと、
前記可変ステータベーン（１５）の各々の回転軸線（２０）を中心とした間隔を置いた外側及び内側ボタン（３２、３４）の間に配置される前記反時計方向及び前記時計方向に偏向された翼形部（４５、４７）を備えた前記ベーン（１５）を製造するステップと、
前記外側ボタン（３２）から外向きに延びる外側スピンドル（３４）及び前記内側ボタン（３３）から内向きに延びる内側スピンドル（３５）を有する前記可変ステータベーン（１５）の各々を備えた前記ベーン（１５）を製造するステップと、
ケーシング（６１）における外側開口（７８）に取り付けられた外側トラニオン（３６）を貫通して回転可能に配置される前記外側スピンドル（３４）を組み付けるステップと、
を含む、方法。
【発明の詳細な説明】
【技術分野】
【０００１】
本発明は、航空機ガスタービンエンジンに関し、具体的には可変ステータベーンに関する。
【背景技術】
【０００２】
可変ステータベーン（ＶＳＶ）は通常、航空機ガスタービンエンジンの圧縮機及びファン、並びに一部のタービン設計において使用される。非回転すなわち固定ステータベーンは一般的に、ファン、圧縮機、及びタービンのロータブレードの下流側又は上流側に配置される。これらのベーンは、ロータから離れる接線方向の流れ成分を減少させ、これにより、流体の静圧を増加させ且つ流れ角度を下流側ロータに適したレベルに設定する。
【０００３】
可変及び非可変ベーンにおける翼形部は、これらと関連した一連の固有振動数を有する。より具体的には、各翼形部は、空気ストリームにおいて通過する翼形部によってパルスとして感じられる伴流を発生させる。圧縮機のステータベーンの数と回転速度の組み合わせは、ロータブレードの固有振動数と一致することができる。圧縮機のステータベーンの伴流（パルス）の数と回転速度の組み合わせは、ロータブレードの固有振動数と一致することができる励振を発生させる。翼形部の固有振動数の大部分を設計エンジン運転範囲外に維持することが極めて望ましい。
【０００４】
非均一なベーン間隔（ＮＵＶＳ）設計は、ロータブレードの誘起振動を減少させるために開発されてきた。ＮＵＶＳ設計は、エンジンケーシングの円周周りのベーン間隔を変えて、ロータブレード及びステータベーンの固有振動数の回避を可能にし、又はこれらの振動数でのロータブレードの共振応答の振幅を減少させるようにする。より具体的には、このような設計では、ステータベーンの数は、ステータベーン組立体の１つ又はそれ以上のセクターを変化させる。ステータベーンの間隔は、セクター毎に変えることができるが、各セクター内でのステータベーンは、互いに対して等間隔で維持され、及び／又は等しいピッチで設計される。ステータベーンのセクター間のベーン間隔又はピッチを変化させると、ベーン伴流の振動数が変化し、隣接ロータブレードにおいて誘起される振動応答を減少させることができる。
【０００５】
典型的な運転サイクルにわたって軸流圧縮機によって広範囲の運転条件が生じることに起因して、圧縮機の流量及び回転速度も広範囲に変わる。このことは、ステータベーンに流入する絶対流れ角度の大きなシフトをもたらす。高損失又は流れ剥離を生じることなくベーンが流れ角度のこれらのシフトに対応可能にするために、可変式ステータベーンの円周方向列は、ベーンがその半径方向（又はほぼ半径方向の）軸線を中心として回転できるように構成される。
【０００６】
一般に、可変ステータベーン（ＶＳＶ）は、ケーシングを貫通する回転軸線を通るスピンドルを有し、これにより作動機構を使用してベーンを回転させることができるようになる。流路では、通常は、ベーンと共に回転するスピンドルの周りに材料の半径方向内側及び外側ボタンが存在する。ベーンの正圧側面と負圧側面との間に大きな圧力勾配が存在するので、漏洩流がこのギャップを越えて押しやられ、端壁において流体転回の減少及び高損失が生じる。この漏洩流はまた、隣接ロータブレードでの流れの不均一性（すなわち、伴流）を引き起こし、これによりこれらのブレードを励振させ、ロータブレードにおいて不利な振動を引き起こす可能性がある。従来のＶＳＶボタンは通常、そのそれぞれの位置においてベーン間のピッチ方向間隔に等しいか又はそれよりも僅かに小さい直径を有する。
【０００７】
関連ハードウェア及びケーシング設計は、ボタンに対してケーシングにおいて等角度に間隔を置いて配置された孔を含むので、既存のエンジン系統又は製品系列のＶＳＶにＮＵＶＳ設計を実施することは特に困難である。ＶＳＶの上側及び下側セット間において異なる間隔の異なるセクター間隔を組み込んだＶＳＶ用ＮＵＶＳ設計を改造で設置することはほぼ不可能である。
【先行技術文献】
【特許文献】
【０００８】
【特許文献１】米国特許第７，７４３，４９７号明細書
【発明の概要】
【発明が解決しようとする課題】
【０００９】
従って、半径方向内側ボタン間及び半径方向外側ボタン間、並びにケーシング周りのスピンドル間に等距離又は等角度の間隔を有するＮＵＶＳをＶＳＶに提供することが極めて望ましい。
【課題を解決するための手段】
【００１０】
複数の同一段可変ステータベーンは、不均一な同一段可変ステータベーンを含み、該ステータベーンは、複数の不均一な同一段可変ステータベーンの少なくとも第１及び第２の部分を備えた不均一な翼形部を有する。可変ステータベーンの各々は、回転軸線を含む。翼形部の各々は、回転軸線を中心として外側ボタンから内向きに延びる。翼形部の各々は、外側ボタンによって片持ち支持されて該外側ボタンから内向きに延びることができ、又は翼形部の各々は、間隔を置いて配置された外側及び内側ボタン間に配置することができる。外側スピンドルは、外側ボタンから外向きに延びており、外側及び内側ボタンの両方を備えた可変ステータベーンの実施形態では、内側スピンドルは、内側ボタンから内向きに延びる。不均一な同一段可変ステータベーンは、第１の部分の可変ステータベーンの翼形部と第２の部分の可変ステータベーンの翼形部との間に不均一性を有する。
【００１１】
可変ステータベーンの全てにおける外側ボタンの全ては、均等なサイズ及び形状にすることができ、使用される場合に、可変ステータベーンの全てにおける内側ボタンの全ては、均等なサイズ及び形状にすることができる。
【００１２】
不均一性は、複数の可変ステータベーンの第１の部分における翼形部が公称翼形部位置を基準として反時計方向に偏向されており、複数の可変ステータベーンの第２の部分における翼形部が公称翼形部位置を基準として時計方向に偏向されることを含むことができる。
【００１３】
不均一性は、複数の可変ステータベーンの第１の部分における翼形部が公称翼形部位置を基準として反時計方向に傾斜されており、複数の可変ステータベーンの第２の部分における翼形部が公称翼形部位置を基準として時計方向に傾斜されることを含むことができる。第１及び第２の部分における翼形部は、翼形部それぞれの内側端部、及び各それぞれのベーンの回転軸線を基準として均等に位置付けられた内側端部の各々を中心として反時計方向及び時計方向に傾斜させることができる。
【００１４】
翼形部は、複数の可変ステータベーンの第１の部分における翼形部の外側端部が公称翼形部位置を基準として反時計方向にシフトされ、且つ複数の可変ステータベーンの第２の部分における翼形部の外側端部が公称翼形部位置を基準として時計方向にシフトされたことを含む不均一性を備えて、翼形部の翼形部外側及び内側端部間に延びることができる。
【００１５】
ガスタービンエンジン組立体は、可変ベーン組立体を半径方向外向きに支持するガスタービンエンジンケーシングを含み、該可変ベーン組立体は、不均一な翼形部を有する少なくとも１つの円形列の不均一な同一段可変ステータベーンを含む。翼形部の各々は、可変ステータベーンの各々の回転軸線を中心とした間隔を置いた外側及び内側ボタン間に配置され、可変ステータベーンの各々は、外側ボタンから外向きに延びる外側スピンドルと、内側ボタンから内向きに延びる内側スピンドルとを含む。外側スピンドルは、ケーシングにおける外側開口に取り付けられた外側トラニオンを貫通して回転可能に配置される。複数の同一段可変ステータベーンの少なくとも第１及び第２の部分は、第１部分の可変ステータベーンの翼形部と第２の部分の可変ステータベーンの翼形部との間に不均一性を有する。可変ステータベーンの全てにおける外側ボタンの全ては均等なサイズ及び形状にされ、可変ステータベーンの全てにおける内側ボタンの全ては均等なサイズ及び形状にされ、外側開口は、ケーシングの周りに等角度に間隔を置いて配置することができる。
【００１６】
ガスタービンエンジンケーシングは、均一な翼形部を有する均一な同一段可変ステータベーンを有する以前に製造されたガスタービンエンジン又はガスタービンエンジンの製品系列と同じか又は同じ設計を有することができる。
【００１７】
ガスタービンエンジン組立体を製造するための方法は、不均一な同一段可変ステータベーンの少なくとも１つの円形列を含む可変ベーン組立体を半径方向外向きに支持するガスタービンエンジンケーシングを提供する。本方法は、不均一な同一段可変ステータベーンの単一段の上側及び下側セクターの第１のものにおいて反時計方向に偏向された翼形部と、不均一な同一段可変ステータベーンの単一段の上側及び下側セクターの第２のものにおいて時計方向に偏向された翼形部と、を準備するステップを含む。本方法は更に、可変ステータベーンの各々の回転軸線を中心とした間隔を置いた外側及び内側ボタンの間に配置される反時計方向及び時計方向に偏向された翼形部を備えてベーンを製造するステップと、外側ボタンから外向きに延びる外側スピンドル及び内側ボタンから内向きに延びる内側スピンドルを含む可変ステータベーンの各々を備えてベーンを製造するステップとを含む。本方法は更に、ケーシングにおける外側開口に取り付けられた外側トラニオンを貫通して回転可能に配置された外側スピンドルを組み付けるステップを含む。本方法は、均一な翼形部を有する均一な同一段可変ステータベーンを備えた以前に製造されたガスタービンエンジン又はガスタービンエンジンの製品系列と同じもの又は同じ設計を有するガスタービンエンジンケーシングを含むことができる。
【図面の簡単な説明】
【００１８】
【図１】不均一なベーン間隔（ＮＵＶＳ）を備えた可変ステータベーンを有するガスタービンエンジンの高圧圧縮機の一部の断面図。
【図２】図１に示す高圧圧縮機における不均一なベーン間隔（ＮＶＵＳ）を備えた可変ステータベーンを有する高圧圧縮器段の概略図。
【図３】図２に示す可変ステータベーンの時計方向及び反時計方向に傾斜した翼形部の拡大概略図。
【図４】図３に示す時計方向に傾斜した翼形部の斜視図。
【図５】図３に示す反時計方向に傾斜した翼形部の斜視図。
【図６】図１に示す可変ステータベーンのトラニオンを受け入れるための外側トラニオン孔を備えたガスタービンエンジンスプリット圧縮機ケーシングの２つの半部分の斜視図。
【図７】円周方向に交互する時計方向及び反時計方向に傾斜した翼形部を有する、図３に示した可変ステータベーンの時計方向及び反時計方向に傾斜した翼形部の別の構成の拡大概略図。
【図８】片持ち状の時計方向に傾斜した翼形部を備えた可変ステータベーンの斜視図。
【図９】片持ち状の反時計方向に傾斜した翼形部を備えた可変ステータベーンの斜視図。
【発明を実施するための形態】
【００１９】
図１に示すのは、長手方向又は軸方向中心軸線１２を中心として軸対称である例示的なターボファンガスタービンエンジンの高圧圧縮機１０の一部分である。不均一なベーン間隔（ＮＵＶＳ）を有する可変ステータベーン１５の第１及び第２の円形列１１、１３が圧縮機１０内に配置され、これを用いて圧縮機１０を通って下流方向Ｄに流れるガスが、回転可能ブレード１６の第１及び第２の列１７、１８に流入する方向を最適化する。本明細書に開示した不均一なベーン間隔を有する可変ステータベーン１５の例示的な実施形態は、高圧圧縮機用のものであるが、これらのＶＳＶは、他の圧縮機セクション及びガスタービンエンジンのファン並びにタービンセクションにおいても使用することができる。圧縮機ケーシング６１は、可変ステータベーン１５を含む可変ステータベーン組立体５６を半径方向外向きに支持する。本明細書に示した不均一な可変ステータベーン１５は、不均一な翼形部３１を有する。
【００２０】
図１、図４、及び図５を参照すると、各可変ステータベーン組立体５６は、複数の可変ステータベーン１５を含む。各可変ステータベーン１５は、回転軸線２０を中心として枢動可能又は回転可能である。各可変ステータベーン１５は、間隔を置いて配置された外側及び内側ボタン３２、３３間に配置された翼形部３１を有する。翼形部３１は、該翼形部のスパンＳに沿って翼形部外側端部７２から翼形部内側端部まで内向きに延びる。翼形部外側及び内側端部７２、７３は、それぞれ外側及び内側ボタン３２、３３上に取り付けられる。外側スピンドル３４は、外側ボタン３２から外向きに延び、内側スピンドル３５は、内側ボタン３３から内向きに延びる。外側及び内側スピンドル３４、３５は、外側及び内側トラニオン３６、３７内に回転可能に支持され、回転軸線２０を中心として回転可能である。
【００２１】
外側スピンドル３４は、外側トラニオン３６を貫通して回転可能に配置され、該外側トラニオン３６は、ケーシング６１の外側開口７８に取り付けられる。本明細書に示される外側開口７８は、軸方向中心軸線１２を中心として一定半径でケーシング６１の周りに等角度で円周方向に間隔を置いて配置される。内側スピンドル３５は、内側トラニオン３７を貫通して回転可能に配置され、該内側トラニオン３７は、ケーシング６１の半径方向内向きに間隔を置いて配置された内側リング８１の内側開口７９に取り付けられる。レバーアーム８０が、外側スピンドル３４から延びて、作動リング８２にリンクされ、可変ステータベーン１５を回転又は枢動させ且つ該可変ステータベーン１５の流れ角度を設定するようにする。
【００２２】
外側及び内側ボタン３２、３３は、それぞれケーシング６１及び内側リング８１における外側及び内側円形凹部内に回転可能に配置される。各翼形部３１は、翼形部後縁ＴＥの上流側Ｕに翼形部前縁ＬＥと、正圧側面ＰＳ及び負圧側面ＳＳとを有する。図４〜図５を参照すると、外側及び内側ボタン３２、３３の各々は、フラットスポット５３を備えた実質的に円形の縁部５２を有する。
【００２３】
外側及び内側ボタン３２、３３の円形縁部５２の各々は、その範囲内で各ボタンが回転軸線２０を中心として回転する円周部２２を形成する。円周部２２は、回転軸線２０からのボタン半径ＲＢで回転軸線２０を中心として境界付けられる。凹部５８は、円周部２２から切り抜かれ、又は円周部２２内に凹設される。凹部５８は、可変ステータベーン１５の大きな転回角度（図示せず）に対応しながら、ボタンの区域Ａを最大にするように設計される。
【００２４】
ロータブレードの誘起される振動振幅を低減するために、可変ステータベーン組立体５６の少なくとも１つは、不均一な可変ステータベーン組立体５７である。不均一な可変ステータベーン組立体５７は、可変ステータベーンの第１及び第２又は上側及び下側セクター６２、６４内に異なるベーンを含み、ロータブレード及びステータベーンの固有振動数の回避を可能にするか、又はこれらの振動数でのロータブレードの共振応答の振幅を低減させるようにする。上側及び下側セクター６２、６４における可変ステータベーン１５間の不均一性により、ベーン伴流の振動数を変更して、隣接ロータブレードに誘起される振動応答が低減できるようになる。
【００２５】
本明細書で開示される上側及び下側セクター６２、６４における可変ステータベーン１５間の不均一性は、上側及び下側セクター６２、６４それぞれにおける可変ステータベーン１５の翼形部３１の異なる上側及び下側傾斜である。上側及び下側セクター６２、６４のうちの１つにおける翼形部３１は、時計方向ＣＷにおいて円周方向により傾斜され、上側及び下側セクター６２、６４のうちの別のものにおける翼形部３１は、反時計方向ＣＣＷにおいて円周方向により傾斜される。翼形部３１の全ては、一方又は他方の円周方向でより偏向された時計方向又は反時計方向の何れかで更に傾斜させることができる。各１８０度の２つのセクターが本明細書において例示されているが、より多くのセクターを使用してもよく、よってより多くの翼形部傾斜角度を使用してもよい。上側及び下側セクター６２、６４の各々では、可変ステータベーン１５は、実質的に同一で均一であり、より具体的には、円周方向に均一に傾斜される。セクターの数に関する１つの実施形態は、図７に示すように、各セクターに１つのベーンだけを含み、隣接ベーンの各ペア２８は、時計方向及び反時計方向の翼形部傾斜角度２４、２６として示した異なる２つの翼形部傾斜角度を有する。
【００２６】
本明細書で例示された不均一な可変ステータベーン組立体５７の１つの例示的な実施形態は、図３に示すように、それぞれ上側及び下側セクター６２、６４における可変ステータベーン１５の翼形部３１の異なる上側及び下側翼形部傾斜角８３、８４を含む。説明の目的で、上側及び下側セクター６２、６４における可変ステータベーン１５の翼形部３１は、図３に示すように、それぞれ上側及び下側翼形部傾斜角８３、８４において反時計方向及び時計方向ＣＣ、ＣＣＷに傾斜される。上側及び下側セクター６２、６４における翼形部３１は、０度又は他の角度とすることができる公称翼形部傾斜角８８を基準として反時計方向及び時計方向ＣＣ、ＣＣＷに傾斜される。例証として、傾斜角は、エンジン軸方向中心軸線１２から外側ボタン３２上の翼形部外側端部７２まで半径方向外向きに延びるエンジン半径Ｒに沿って計測される、隣接翼形部３１の翼形部外側端部７２間の鋭角８７の約１７％とすることができる。
【００２７】
図３〜図５を参照すると、翼形部３１の上側及び下側翼形部傾斜角８３、８４は、上側及び下側セクター６２、６４それぞれにおける翼形部３１の上側及び下側重なり軸線８５、８６により示される上側及び下側重なり軸線によって定めることができる。直線の重なり軸線は、ベーンのそれぞれ外側及び内側ボタン３２、３３に位置する傾斜のない公称翼形部３０並びに反時計方向及び時計方向にシフト又は傾斜した翼形部４５、４７（図３〜図５）の翼形部外側及び内側端部７２、７３における翼形部断面重心（ＣＧ）を接続した線として説明することができる。傾斜は、翼形部の３１の内側端部７３を中心とした翼形部３１の回転であり、エンジン軸方向中心軸線１２から測定されたエンジン半径Ｒから重なり軸線を発散させるようにする。
【００２８】
弓形又はアーチ形重なり軸線は、各翼形部の幾つかの半径方向セクションの重心によって定めるか、又は、翼弦中点の重なりによるなどの、何らかの他の従来の方法で定めることができる。重なり軸線はまた、ブレードの翼形部分の横断面の重心軌道を表すものとして定められ、直線又は非直線とすることができる。
【００２９】
上側及び下側セクター６２、６４における可変ステータベーン１５間の不均一性を提供する別の手段が図４及び図５に示されている。この手段は、図４及び図５でそれぞれ示すように、点線で示した公称翼形部位置６６から異なるセクターの実線で示した反時計方向及び時計方向位置まで翼形部外側端部７２をシフトさせることを含む。公称翼形部３１は、図４及び図５において反対の点線で示されており、反時計方向及び時計方向にシフト又は傾斜した翼形部４５、４７は、図４及び図５それぞれにおいて示されている。反時計方向及び時計方向にシフト又は傾斜した翼形部４５、４７の内側端部７３は、公称翼形部３１の内側端部７３と同じ状態のままである。反時計方向及び時計方向に偏向した翼形部４５、４７は、不均一性に関するより上位概念である。本明細書に示される公称翼形部位置６６は、反時計方向に偏向した翼形部４５と時計方向に偏向した翼形部４７との間にある。
【００３０】
上側セクター６２における可変ステータベーン１５の全ては同一とすることができ、下側セクター６４における可変ステータベーン１５の全ては、２組の可変ステータベーン１５間の差違は、反時計方向に偏向された翼形部４５と時計方向に偏向された翼形部４７である。
【００３１】
以上のように、翼形部のシフト又は傾斜、或いは上側及び下側セクター６２、６４における可変ステータベーン１５間の他の不均一性は、外側及び内側ボタン３２、３３、外側スピンドル及び内側スピンドル３４、３５、外側及び内側トラニオン３６、３７、及び図６に示したケーシング６１の外側開口７８の配置サイズ又は形状を変えることなく提供することができる。翼形部のスパンＳは、可変ステータベーン１５の外側及び内側ボタン間の半径方向距離を定め、これもまた全て同一とすることができる。従って、異なるセクター（２つ又はそれ以上）における可変ステータベーン１５間の不均一性は、既存のケース及びエンジンにおいて最小変更で容易に設計及び製造することができる。
【００３２】
図８及び図９に示すのは、外側ボタン３２から片持ち支持され且つ該外側ボタン３２から半径方向内向き又は下向きに延びる片持ち状翼形部９０を有し、内側ボタンを有していない可変ステータベーン１５である。各片持ち状翼形部９０は、翼形部のスパンＳに沿って翼形部外側端部７２から翼形部内側端部７３まで延び、該内側端部７３は自由端部である。翼形部外側端部７２は、外側ボタン３２上に取り付けられる。外側スピンドル３４は、外側ボタン３２から外向きに延びる。外側スピンドル３４は、外側トラニオン３６において回転可能に支持され、回転軸線２０を中心として回転可能である。
【００３３】
片持ち状翼形部９０は、上側及び下側セクター６２、６４それぞれにおける翼形部３１の上側及び下側重なり軸線８５、８６で示された上側及び下側重なり軸線によって定めることができる。直線重なり軸線は、傾斜のない公称片持ち状翼形部９０並びに反時計方向及び時計方向にシフト又は傾斜した片持ち状翼形部９２、９４（図８〜９）の翼形部外側及び内側端部７２、７３に位置する翼形部断面の重心（ＣＧＳ）を接続する線として説明することができる。傾斜は、内側端部７３を中心として傾斜のない片持ち状翼形部９０の回転であり、重なり軸線をエンジン軸方向中心軸線１２から測定されるエンジン半径Ｒから発散させるようにする。
【００３４】
本明細書では本発明の好ましく例示的な実施形態であると考えられるものについて説明してきたが、当業者であれば、本明細書の教示から本発明の他の修正が明らかになる筈であり、従って、全てのこのような修正は、本発明の技術思想及び技術的内に属するものとして特許請求の範囲において保護されることが望まれる。従って、本特許により保護されることを望むものは,特許請求の範囲に記載し且つ特定した発明である。
【符号の説明】
【００３５】
１０  ガスタービンエンジン組立体／ガスタービンエンジン高圧圧縮機
１１  第１の列
１２  中心軸線
１３  円形列／第２の列
１５  ステータ弁
１６  回転可能ブレード
１７  第１の列
１８  第２の列
２０  回転軸線
２２  円周部
２４  時計方向の傾斜角
２６  反時計方向の傾斜角
２８  ペア
３０  傾斜のない公称翼形部
３１  不均一な翼形部／均一な翼形部
３２  外側ボタン
３３  内側ボタン
３４  外側スピンドル
３５  内側スピンドル
３６  外側トラニオン
３７  内側トラニオン
４２  外側円形凹部
４３  内側円形凹部
４５  反時計方向に偏向された翼形部／反時計方向にシフト又は傾斜した翼形部
４７  時計方向に偏向された翼形部／時計方向にシフト又は傾斜した翼形部
５２  円形縁部
５３  平坦スポット
５６  ベーン組立体／ステータベーン組立体
５７  不均一な可変ステータベーン組立体
５８  凹部
６１  エンジンケーシング／圧縮機ケーシング
６２  第１の部分／上側セクター
６４  第２の部分／下側セクター
６６  翼形部位置
７２  外側端部
７３  内側端部
７８  外側開口
７９  内側開口
８０  レバーアーム
８１  内側リング
８２  作動リング
８３  上側翼形部傾斜角
８４  下側翼形部傾斜角
８５  上側重なり軸線
８６  下側重なり軸線
８７  鋭角
８８  公称翼形部傾斜角
９０  片持ち状翼形部
９２  反時計方向にシフト又は傾斜した片持ち状翼形部
９４  時計方向にシフト又は傾斜した片持ち状翼形部
Ａ  区域
Ｄ  下流側
Ｓ  スパン
Ｕ  上流側
Ｒ  エンジン半径／エンジン半径
ＲＢ  ボタン半径
ＬＥ  前縁
ＴＥ  後縁
ＰＳ  正圧側面
ＳＳ  負圧側面
ＣＷ  時計回り方向
ＣＣＷ  反時計回り方向
【図１】
2013083252.tif 000003
【図２】
2013083252.tif 000004
【図３】
2013083252.tif 000005
【図４】
2013083252.tif 000006
【図５】
2013083252.tif 000007
【図６】
2013083252.tif 000008
【図７】
2013083252.tif 000009
【図８】
2013083252.tif 000010
【図９】
2013083252.tif 000011